(57)【要約】【課題】湯たんぽの温度を正確に把握できる温度計を設けることにより、所望する温度を長く維持することができる高品質の保温具を提供できるようにすることを目的とするものである。【解決手段】可撓性を有する保温袋に保温材を充填して密封してなる本体部の少なくとも表面に温度計を設けてなり、当該温度計は感熱した温度を表示するシート状検温表示部を前記保温袋の表面に当接させた状態で配設し、保温材に配設されたシート状検温表示部の温度表示面を透明若しくは半透明な可撓性部材で覆った。【選択図】図１
2010125114.tif 000002
【特許請求の範囲】
【請求項１】
可撓性を有する保温袋に保温材を充填して密封してなる本体部の少なくとも表面に温度計を設けてなり、当該温度計は感熱した温度を表示するシート状検温表示部を前記保温袋の表面に当接させた状態で配設し、保温材に配設されたシート状検温表示部の温度表示面を透明若しくは半透明な可撓性部材で覆ったことを特徴とする温度計つき保温具。
【請求項２】
流動性を有する蓄熱材と、保温袋の一部に荷重が作用したときに、当該荷重乃至押圧力が作用した部分の保温袋内の蓄熱材が周囲に散逸して偏るのを抑制する可撓性を備えた偏り抑制部材とで保温材を形成したことを特徴とする請求項１に記載の温度計つき保温具。
【請求項３】
保温材を封入した保温袋の表裏を、偏り抑制部材を挟んだ状態で溶着することにより、保温袋内の偏り抑制部材の偏りを防止するように構成したことを特徴とする請求項２に記載の温度計つき保温具。
【請求項４】
保温具が、温度計が設けられた本体部分と、この本体部を収納するカバーとからなる湯たんぽ若しくはアンカであることを特徴とする請求項１乃至請求項３のいずれか１項に記載の温度計つき保温具。
【発明の詳細な説明】
【技術分野】
【０００１】
本発明は、主として解熱のために頭部を冷却したり、身体の１部を暖めるのに使用される可撓性を有する保温シート及び可撓性を有する温度計つき保温具に関するものである。
【背景技術】
【０００２】
一般に、保温具としては、身体を温めるものとしては湯たんぽがあり、高熱の頭部を冷却する場合には、古くから氷嚢や氷枕が用いられている。
こうした保温材のうち、氷嚢や氷枕では水漏れが発生しやすく取扱いが面倒である上、中の氷がごつごつすることから使用感もよくないという問題があるうえ、氷嚢や氷枕は一旦、ボール等の容器に氷水を作り、これを氷嚢等の袋に入れる作業が必要であり、手間がかかる上、零れて周囲を濡らしたり汚したりしてしまうという問題があった。
【０００３】
一方、湯たんぽは特許文献１に示すように１部に給湯口を設けた容器にお湯を注入して使用するので、そのお湯の注入時に熱湯がこぼれ周囲を汚すだけでなく、こぼれた熱湯が身体にかかると火傷をしてしまうという問題もある。
【０００４】
そこでこうした問題に対処するために、高吸水率を有する高分子剤に吸水させてゲル状にした保温材を可撓性シートで形成した袋に密閉して形成された冷・温両用に使用することができる保温具が知られている。
【０００５】
ところがこうしたものを例えば湯たんぽとして使用する場合、湯煎することにより、昇温させて蓄熱して使用するのであるが、湯煎する湯の温度と湯煎される湯たんぽ内の保温材の温度と必ずしも一致しない。
特に短時間で急速に加温する場合には湯専用の湯は熱くても、保温材は十分に蓄熱されたいない場合が生じ、湯たんぽの蓄熱した熱を放熱する機能を充分に発揮することができないという問題があった。
こうした原因は、湯たんぽの温度を正確に把握できないことにある。
【特許文献１】実登３０４７９３１号公報
【発明の開示】
【発明が解決しようとする課題】
【０００６】
そこで本発明は上記問題点に鑑み提案されたもので湯たんぽの温度を正確に把握できる温度計を設けることにより、所望する温度を長く維持することができる高品質の保温具を提供できるようにすることを目的とするものである。
【課題を解決するための手段】
【０００７】
上記目的を達成するために、本発明にかかる温度計つき保温具は、可撓性を有する保温袋に保温材を充填して密封してなる本体部の少なくとも表面に温度計を設けてなり、当該温度計は感熱した温度を表示するシート状検温表示部を前記保温袋の表面に当接させた状態で配設し、保温材に配設されたシート状検温表示部の温度表示面を透明若しくは半透明な可撓性部材で覆ったことを最も主要な特徴とするものである。
【０００８】
また、本発明にかかる温度計つき保温具では、流動性を有する蓄熱材と、保温袋の一部に荷重が作用したときに、当該荷重乃至押圧力が作用した部分の保温袋内の蓄熱材が周囲に散逸して偏るのを抑制する可撓性を備えた偏り抑制部材とで保温材を形成したことや、保温材を封入した保温袋の表裏を、偏り抑制部材を挟んだ状態で溶着することにより、保温袋内の偏り抑制部材の偏りを防止するように構成したこと、さらには、保温具が、温度計が設けられた本体部分と、この本体部を収納するカバーとからなる湯たんぽ若しくはアンカであることもを特徴とするものである。
【発明の効果】
【０００９】
本発明によれば、可撓性を有する保温袋に保温材を充填して密封してなる本体部の少なくとも表面に温度計を設けてなり、当該温度計は感熱した温度を表示するシート状検温表示部を前記保温袋の表面に当接させた状態で配設し、保温材に配設されたシート状検温表示部の温度表示面を透明若しくは半透明な可撓性部材で覆うようにしてあるので、この保温具を例えば湯煎して保温材を蓄熱する場合、温度計は可撓性部材で覆われていることから、当接している保温袋の温度を正確に表示する。
これにより保温材に十分に蓄熱することができ、所望する温度を長く維持でき、高品質の保温具を提供することができる利点がある。
【００１０】
流動性を有する蓄熱材と、保温袋の一部に荷重が作用したときに、当該荷重乃至押圧力が作用した部分の保温袋内の蓄熱材が周囲に散逸して偏るのを抑制する可撓性を備えた偏り抑制部材とで保温材を形成したものでは、上記効果に加えて、温度計で示される温度を、保温具の全体に均一な熱分布することができる利点がある。
【００１１】
また、保温材を封入した保温袋の表裏を、偏り抑制部材を挟んだ状態で溶着することにより、保温袋内の偏り抑制部材の偏りを防止するように構成したものでは上記効果である保温具の全体に均一な熱分布することができる効果をよりいっそう向上させることができる。
【発明を実施するための最良の形態】
【００１２】
以下、本発明にかかる温度計つき保温具の最も好ましい実施の形態を図面に基づいて説明する。
図１は温度計つき保温具である湯たんぽの分解斜視図、図２は温度計部分の分解図、図３は湯たんぽの温度計部分の縦断側面図であって、図中符号１はこの湯たんぽを全体的に示す。
この湯たんぽ１は、使用時には保温カバー２に入れて使用されるもので、ポリ塩化ビニル（PVC）シートを二枚合わせにし、その周囲の三辺を溶着して袋（保温袋）３に形成し、この袋３内に含水させ柔軟性を有する板状に形成され後述する超吸水剤を保温材４として封入することにより本体部５が形成されている（図３参照）。
【００１３】
保温カバー２はその表面が起毛された布帛により袋状に形成されている。
また、上記保温材４は、例えば水溶性ポリアクリル酸ソーダを原料とする超吸水高分子合成樹脂に多量の水を含水させてこんにゃく状にゲル化し、若しくは硬めのゼリー状に形成したものである。
そして、本体部５の袋３の表面の１部（隅部）には透明な可撓性部材７で覆われたシート状の温度計８が設けてある。
【００１４】
この温度計８の詳細の図示は省略したが、テープ状基材に例えば本例のように湯たんぽ１の場合には、３６℃から５０℃までの温度数字を等間隔に印刷した基材の上面に当該温度に対応して色が暗色から透明色に変化するサーモクロミズム層設けてなる公知のシート状温度計である。
温度計８を覆う可撓性部材７は透明で、断熱性を有するものが望ましい。
【００１５】
上記のように形成された湯たんぽ１を使用する手順を次に説明する。
先ず、保温カバー２から湯たんぽ１を就寝前の入浴時に浴槽（図示せず）につけて暖める。
入浴時の浴槽内の湯の一般的な温度は、４２℃前後であることから、当該温度になるまで湯たんぽ１は徐々に暖められて袋３内の保温材４に蓄熱されてゆく。
このとき、本体部５の袋３の表面に設けられた温度計８は、これを覆う可撓性部材７を介して浴槽の湯に接してはいるが、温度計８の温度表示には袋３内の保温材４からの温度影響が大きく、温度計８は湯たんぽ１の温度として袋３内の保温材４の温度を表示することになる。
【００１６】
仮に、上記温度計８が可撓性部材７の断熱性が低い場合は、この可撓性部材７を通して浴槽内の湯の温度の影響を受けて、袋３内の保温材４の温度より高温の温度を表示するような場合がある。この場合、温度計５部分が湯面より露出させる。
すると、可撓性部材７が浴槽の湯より低い周囲の温度で冷却されるので、保温材４の温度により温度計８は湯たんぽ１の温度として袋３内の保温材４の温度を正確に表示する。
次に、浴槽の湯で所定の温度例えば、上記の４２℃前後の温度が表示されると、浴槽の湯から取り出し、水気を十分に拭き取って、保温カバー２に入れて湯たんぽ１として使用する。
【００１７】
尚、上記実施の形態では、本体部５の袋３内の保温材４を、水溶性ポリアクリル酸ソーダを原料とする超吸水高分子合成樹脂に多量の水を含水させてこんにゃく状にゲル化し、若しくは硬めのゼリー状に形成したものにしてあるが、こうしたものに限られず、例えば図４に示すようにしても良い。
この図４に示すものは、二枚の合成樹脂製薄膜の間に複数の気泡を点在させた軽量の緩衝材、いわゆる「エアーキャップ」として知られているシート状のものを偏り抑制部材９として袋３内にいれ気泡間の空間部分１０に上記実施例と同様の水溶性ポリアクリル酸ソーダを原料とする高吸水高分子合成樹脂に多量の水を含水させてゼリー状にしたものを充填したものである。
【００１８】
こうしたものでは、シート状の「エアーキャップ」からなる偏り抑制部材９自身が袋３内で縒れたり、偏ったりするのを防止するために、保温材４を封入した袋３の表裏を、前記偏り抑制部材９を挟んだ状態で溶着１１することにより、袋３内の偏り抑制部材９の偏りを防止するように構成することが望ましい。
その他の構成は上記実施の形態と同様になっている。
また、上記実施の形態では、本発明の温度計つき保温具として湯たんぽ１を例示したが、こうしたものに限られず、冷却して使用する氷嚢や氷枕として使用することができるのは勿論のことである。
【００１９】
上記実施の形態では、本体部５の袋３の表面の１部（隅部）には透明な可撓性部材７で覆われたシート状の温度計８を設けるようにしてあるが、本体部５の袋３の表面にも設けるようにすることもできるのはいうまでもないことである。
また、温度計８を覆う可撓性部材７は透明なものに限られず、半透明であってもよく、つまるところ温度計８の表示が視認できるものであれば良い。
【図面の簡単な説明】
【００２０】
【図１】は本発明にかかる温度計つき保温具の分解斜視図である。
【図２】は本発明にかかる温度計つき保温具の温度計部分の分解斜視図である。
【図３】は本発明にかかる温度計つき保温具の温度計部分の縦断側面図である。
【図４】は本発明にかかる温度計つき保温具の袋内の変形例を示す温度計部分の縦断側面図である。
【符号の説明】
【００２１】
１・・・保温具（湯たんぽ）
３・・・保温袋（袋）
４・・・保温材
５・・・本体部
７・・・可撓性部材
８・・・温度計
９・・・偏り抑制部材
１１・・・溶着
【図１】
2010125114.tif 000003
【図２】
2010125114.tif 000004
【図３】
2010125114.tif 000005
【図４】
2010125114.tif 000006